(57)【要約】【課題】空気を遊技者に向けて放出することにより、設置環境等によらず遊技者に対して大きなインパクトを与える演出が可能な遊技機の提供を目的とした。【解決手段】遊技機１０は、遊技者に向けて圧縮空気を放出可能な排気口４０，４２，４４と、これらに対して圧縮空気を供給可能な空気供給手段とを備えている。遊技機１０は、各排気口４０，４２，４４における圧縮空気の放出のタイミングや圧縮空気の圧力等の圧縮空気の放出条件をそれぞれ独立的に調整することができる。【選択図】図１
2009195501.tif 000002
【特許請求の範囲】
【請求項１】
遊技者に向けて圧縮空気を放出可能な複数の排気口と、
当該排気口に対して圧縮空気を供給可能な空気供給手段とを備えており、
前記複数の排気口のうちの一又は一群における空気の放出条件と、他の一又は一群の排気口における空気の放出条件とを独立的に調整可能であることを特徴とする遊技機。
【請求項２】
排気口毎、又は、排気口群毎に、非連続的に圧縮空気を放出させることが可能であることを特徴とする請求項１に記載の遊技機。
【請求項３】
排気口における空気の放出方向を調整可能な放出方向調整手段を備えていることを特徴とする請求項１又は２に記載の遊技機。
【請求項４】
排気口に向けて供給される空気の温度を調整する温度調整手段を備えていることを特徴とする請求項１〜３のいずれかに記載の遊技機。
【請求項５】
複数の排気口のうちの一又は一群が、遊技者の顔に相当する部分に向けて空気を放出可能な顔用排気口であり、
複数の排気口のうちの他の一又は一群が、遊技者の胴体に相当する部分に向けて空気を放出可能な胴体用排気口であり、
前記胴体用排気口から放出される空気の圧力が、顔用排気口から放出される空気の圧力よりも高いことを特徴とする請求項１〜３のいずれかに記載の遊技機。
【発明の詳細な説明】
【技術分野】
【０００１】
本発明は遊技機に関するものであり、特に圧縮空気を放出することにより演出効果を高めることが可能なものに関する。
【背景技術】
【０００２】
従来より、下記特許文献１，２に開示されているような遊技機が提供されている。下記特許文献１に開示されている遊技機では、遊技状態に応じて送風順序等を変化させることにより演出効果を高めることができる。また、引用文献２に開示されている遊技機では、複数人参加型の遊技機において、各プレーヤーに臭覚を刺激することにより、各プレーヤーの興趣およびリラックス効果の向上を図ることができる。
【特許文献１】特開２００６−２６２９３０号公報
【特許文献２】特開２００７−７５５７８号公報
【発明の開示】
【発明が解決しようとする課題】
【０００３】
上記特許文献１に開示されている遊技機では、内部当選役を予告することを目的として遊技状態にあわせて送風順序を変化させる等するものであり、送風によるインパクトを遊技者に対して与えるようなものではなかった。そのため、特許文献１に開示されている遊技機では、遊技者に対する演出効果が乏しいといった問題があった。また、特許文献１に開示されているように、遊技者に向けて単に送風を行うだけである場合は、遊技機の設置環境等によっては遊技者にさほど大きな演出効果を与えることができないといった問題があった。また、上記特許文献２に開示されている遊技機は、臭覚を刺激するものであるが、臭いの発生条件や遊技機が配されている環境によって遊技者に与える演出効果にバラツキが生じ、十分な演出効果を与えることができるとは限らないといった問題があった。
【０００４】
そこで、本発明は、空気を遊技者に向けて放出することにより、設置環境等によらず遊技者に対して大きなインパクトを与える演出が可能な遊技機の提供を目的とした。
【課題を解決するための手段】
【０００５】
上記した課題を解決すべく提供される本発明の遊技機は、遊技者に向けて圧縮空気を放出可能な複数の排気口と、当該排気口に対して圧縮空気を供給可能な空気供給手段とを備えており、前記複数の排気口のうちの一又は一群における空気の放出条件と、他の一又は一群の排気口における空気の放出条件とを独立的に調整可能であることを特徴としている。
【０００６】
上記した本発明の遊技機は、排気口毎、又は、排気口群毎に、非連続的に圧縮空気を放出可能としてもよい。
また、上記した本発明の遊技機は、排気口における空気の放出方向を調整可能な放出方向調整手段を備えた構成とすることも可能である。
さらに、本発明の遊技機は、排気口に向けて供給される空気の温度を調整する温度調整手段を備えた構成とすることも可能である。
【０００７】
上記した本発明の遊技機は、複数の排気口のうちの一又は一群を遊技者の顔に相当する部分に向けて空気を放出可能な顔用排気口とし、複数の排気口のうちの他の一又は一群を遊技者の胴体に相当する部分に向けて空気を放出可能な胴体用排気口とすることも可能である。かかる構成とした場合は、前記胴体用排気口から放出される空気の圧力を、顔用排気口から放出される空気の圧力よりも高くすることが望ましい。
【発明の効果】
【０００８】
本発明の遊技機は、排気口と、圧縮空気を排気口に向けて供給可能な空気供給手段を有し、複数設けられたの排気口のうちの一又は一群における圧縮空気の放出条件と、他の一又は一群の排気口における圧縮空気の放出条件とを独立的に調整できるため、空気の放出条件を多様に変化させることが可能である。具体的には、例えば空気の圧力や、空気を放出するタイミング、空気の放出流量、空気の放出温度、空気の放出方向といったような空気の放出条件を独立的に調整できる。従って、本発明によれば、変化に富んだ優れた演出効果を得ることが可能な遊技機を提供できる。また、本発明の遊技機では、圧縮空気を遊技者に向けて放出することとしているため、遊技者に向けて単に送風する場合とは異なり、設置環境等によらず遊技者に対して大きなインパクトを与える演出が可能である。
【０００９】
本発明の遊技機では、各排気口から放出される圧縮空気を遊技者に当てることで一連の演出の体感性を向上させることができる。さらに、本発明の遊技機では、各排気口から圧縮空気が放出されるため、遊技者自身が放出された圧縮空気を交わそうとして動くことも想定される。従って、本発明の遊技機では、演出に併せて遊技者自身の動きを促進し、さらに演出の体感性を向上させることも可能である。
【００１０】
上述のように各排気口、又は、各排気口群毎に、非連続的に圧縮空気を放出させることが可能な場合は、各排気口や排気口群毎に様々なタイミングで圧縮空気を放出させることができる。
また、上述のように、排気口における空気の放出方向を調整可能な放出方向調整手段を設けた場合は、空気の放出方向の変化による演出効果も得られる。
さらに、上述のように温度調整手段を設けた場合は、各排気口に向けて供給される空気の温度による演出効果も得られる。
従って、これらの構成を採用すれば、遊技者に対してより一層バラエティに富んだ演出効果を与えることができる。
【００１１】
本発明の遊技機は、複数の排気口のうちの一又は一群を遊技者の顔に相当する部分に向けて空気を放出可能な顔用排気口とし、複数の排気口のうちの他の一又は一群を遊技者の胴体に相当する部分に向けて空気を放出可能な胴体用排気口とした場合に、前記胴体用排気口から放出される空気の圧力を、顔用排気口から放出される空気の圧力よりも高くすることにより、通常は遊技者が衣服をまとっているであろうと想定される腹部に向けて圧縮空気を放出しても、圧縮空気による衝撃を十分体感させることができる。
【発明を実施するための最良の形態】
【００１２】
続いて、本発明の一実施形態に係る遊技機１０について、図面を参照しつつ詳細に説明する。図１は遊技機１０を示す正面図であり、図２は遊技機１０の内部構造を示す正面図である。図３は、遊技機１０において採用されている空気供給手段５０を示す配管系統図である。図４は、遊技機１０のサブ制御基板１５と、遊技機１０の構成部材との関係を示すブロック図である。図５は、図３に示す空気供給手段５０の変形例を示す配管系統図である。なお、以下の説明において上下左右の位置関係は、特に断りのない限り図１に示す姿勢を基準として説明する。
【００１３】
図１に示す遊技機１０は、いわゆるスロットマシンであり、図２に示すように筐体１２ａと、これに対して開閉自在に取り付けられた前面扉１２ｂとを有する。筐体１２ａの内部には、主として遊技の制御を行うためのメイン制御基板１４や、回胴１６、メダル払出装置１８に加え、後に詳述する空気供給手段５０や各種センサ類やスイッチ類等、様々な機器類が収容されている。一方、前面扉１２ｂの裏側には、主として演出の制御を行うためのサブ制御基板１５が設けられている。
【００１４】
また、図１に示すように、前面扉１２ｂの表面側（外側）、すなわち遊技機１０の正面をなし、使用状態において遊技者側に向く面には、メダル投入用の投入口２０ａやメダル払出用の払出口２０ｂに加え、遊技機１０の操作用のボタン類が設けられている。具体的には、回胴１６を停止させるためのストップボタン２２ａやメダル返却ボタン２２ｂをはじめとする様々なボタン類や、回胴１６の回転始動用のスタートレバー２２ｃ等が設けられている。さらに、前面扉１２ｂの表面側には、遊技機１０の演出効果を高めるための構成として、画像等を表示するための演出表示部２４ａや、回胴１６を視認可能とするための表示窓２４ｂ、放音部２４ｃ，２４ｄ、サイドランプ２６が設けられている。図４に示すように、演出表示部２４ａや、放音部２４ｃ，２４ｄ、サイドランプ２６は、サブ制御基板１５に対して電気的に接続されており、これにより各部の動作が制御されている。
【００１５】
前面扉１２ｂにおける各部材の配置についてさらに詳細に説明すると、図１に示すように、演出表示部２４ａや放音部２４ｃは、前面扉１２ｂの上方側の領域（以下、上部パネル部３０とも称す）に設けられている。上部パネル部３０は、遊技機１０の前に座った遊技者の目線の高さ程度、あるいはこれよりもやや上方に位置している。そのため、演出表示部２４ａにおいて画像が表示される等すると、これが遊技者の目に入る。また、表示窓２４ｂやサイドランプ２６は、前面扉１２ｂの上下方向中程の領域（以下、中部パネル部３２とも称す）に設けられている。中部パネル部３２は、遊技機１０の前に座った遊技者の顔の高さ程度の位置とされている。
【００１６】
放音部２４ｄや払出口２０ｂは、中部パネル部３２よりも下方側の領域（以下、下部パネル部３４とも称す）に設けられている。下部パネル部３４に相当する位置は、遊技機１０の前に座った遊技者の胴体が対向する程度の高さに匹敵する。また、ストップボタン２２ａやメダル返却ボタン２２ｂ、スタートレバー２２ｃといった遊技機１０の操作用のボタン類や投入口２０ａは、中部パネル部３２と下部パネル部３４との間に位置する操作パネル部３６に設けられている。操作パネル部３６は、遊技者が手をかけやすい位置に設けられている。
【００１７】
本実施形態の遊技機１０では、上記した中部パネル部３２に排気口４０，４２（以下、顔用排気口４０，４２とも称す）が設けられており、下部パネル部３４に排気口４４（以下、胴体用排気口４４とも称す）が設けられている。また、中部パネル部３２には、後に詳述する遊技者検知手段４８が設けられている。顔用排気口４０，４２や胴体用排気口４４は、筐体１２内に設けられた空気供給手段５０から供給された圧縮空気を遊技者に対して放出するためのものである。顔用排気口４０，４２は、それぞれ表示窓２４ｂに対して左右に隣接する位置に設けられている。また、胴体用排気口４４は、下部パネル部３４において払出口２０ｂが設けられた位置よりもやや上方にずれた位置に設けられている。また、胴体用排気口４４は、前面扉１２ｂの幅方向のほぼ中央部に設けられている。
【００１８】
顔用排気口４０，４２や胴体用排気口４４には、ルーバー４６（放出方向調整手段）が取り付けられている。図４に示すように、ルーバー４６は、サブ制御基板１５に対して電気的に接続されており、サブ制御基板１５から発信される制御信号に基づいて羽根板４６ａが作動する構成とされている。そのため、ルーバー４６は、サブ制御基板１５からの制御信号により羽根板４６ａの角度を変え、顔用排気口４０，４２や胴体用排気口４４を開閉したり、顔用排気口４０，４２や胴体用排気口４４における空気の放出方向を調整することができる。
【００１９】
顔用排気口４０，４２に設けられたルーバー４６は、上下方向に向く軸線を中心として羽根板４６ａが回動可能なように取り付けられている。そのため、顔用排気口４０，４２のルーバー４６を作動させると、空気の放出方向を遊技機１０の幅方向、すなわち左右方向に変化させることができる。また、胴体用排気口４４に設けられたルーバー４６は、水平方向に向く軸線を中心として羽根板４６ａが回動可能とされている。そのため、胴体用排気口４４に取り付けられたルーバー４６を作動させると、空気の放出方向を上下方向に変化させることができる。
【００２０】
顔用排気口４０，４２や胴体用排気口４４には、筐体１２ａの内側において空気供給手段５０が接続されている。図３に示すように、空気供給手段５０は、空気供給管路５２を有し、これに対してコンプレッサー５４や、弁５６、エアタンク５８、電磁弁６０，６２，６４、温度調整手段７０を接続した構成とされている。図４に示すように、空気供給手段５０を構成する部材のうち、コンプレッサー５４や弁５６、電磁弁６０，６２，６４、温度調整手段７０は、それぞれサブ制御基板１５に対して電気的に接続されており、これにより動作制御されている。
【００２１】
空気供給管路５２は、高圧に加圧された空気を上述の顔用排気口４０，４２や胴体用排気口４４に向けて供給するためのものである。空気供給管路５２は、中途にある分岐部６６を境として下流側の部分において分岐路５２ａ〜５２ｃの３系統に分岐されており、それぞれが顔用排気口４０，４２や胴体用排気口４４に接続されている。
【００２２】
コンプレッサー５４は、空気供給管路５２の上流端に接続されている。また、弁５６は、コンプレッサー５４に対して空気の流れ方向下流側に隣接する位置に設けられている。エアタンク６０は、コンプレッサー５２から供給されてきた圧縮空気を貯留するものであり、弁５６に対して空気の流れ方向下流側であって、上述の分岐部６６よりも上流側の位置に設けられている。電磁弁６０，６２，６４は、それぞれ分岐路５２ａ〜５２ｃに設けられている。電磁弁６０，６２，６４は、それぞれサブ制御基板１５に対して電気的に接続されており、それぞれ独立的に作動可能とされている。電磁弁６０，６２，６４は、常時において閉状態となっており、サブ制御基板１５からの制御信号により通電されると開状態になる。
【００２３】
上述した遊技者検知手段４８は、例えば従来公知のＣＣＤイメージセンサ（Charge Coupled Device Image Sensor）や、当該センサを備えたカメラなどによって構成されている。遊技者検知手段４８は、ストップボタン２２ａの上方に配されており、遊技機１０の正面に着席した遊技者の輪郭などを検出可能なものが採用されている。
【００２４】
図３に示すように、温度調整手段７０は、空気供給流路５２を構成する各分岐路５２ａ〜５２ｃに設けられている。さらに具体的には、空気供給管路５２において分岐部６６よりも空気の流れ方向下流側であって、各電磁弁６２，６４，６６よりも上流側の位置に設けられている。分岐路５２ａ〜５２ｃに設けられた各温度調整手段７０（以下、それぞれを温度調整手段７０ａ〜７０ｃとも称す）は、それぞれ独立的に作動可能とされている。そのため、温度調整手段７０ａ〜７０ｃをそれぞれ作動させることにより、各排気口４０，４２，４４に供給される空気を個別に温度調整することができる。
【００２５】
続いて、本実施形態の遊技機１０の動作について、空気供給手段５０の動作を中心に説明する。空気供給手段５０は、遊技の途中であって顔用排気口４０，４２や胴体用排気口４４から圧縮空気を放出させる以前に、弁５６を開いた状態でコンプレッサー５４を作動させ、エアタンク５８に高圧に圧縮された圧縮空気を貯留する。この際、次に圧縮空気を放出すべき排気口が胴体用排気口４４である場合は、顔用排気口４０，４２である場合よりもエアタンク５８に貯留される空気圧が高く設定される。具体的には、次回の演出において胴体用排気口４４から圧縮空気を放出する場合、エアタンク５８に貯留する空気圧は、３００ｋＰａ〜６００ｋＰａ程度の圧力に調整される。また、次回の演出において顔用排気口４０，４２から圧縮空気を放出する場合、エアタンク５８に貯留する空気圧は、２００ｋＰａ〜３００ｋＰａ程度の圧力に調整される。
【００２６】
上記したようにしてエアタンク５８に高圧に加圧された圧縮空気が貯留された後、遊技の途中において顔用排気口４０，４２や胴体用排気口４４から圧縮空気を放出させることにより演出を行うべきタイミングになると、分岐路５２ａ〜５２に設けられた電磁弁６０，６２，６４のうち、圧縮空気を放出すべき排気口４０，４２，４４に対応して設けられたものが開状態とされる。また、前記した圧縮空気を放出すべきタイミングには、サブ制御基板１５から発信される制御信号に基づき、圧縮空気を放出すべき排気口４０，４２，４４に設けられたルーバー４６が作動し、羽根板４６ａが所定の角度に調整される。
【００２７】
具体的には、圧縮空気を前面扉１２ｂに向かって左側に設けられた顔用排気口４０から放出する場合は、これに設けられたルーバー４６の羽根板４６ａが、遊技機１０の正面に座っている遊技者の左頬にめがけて圧縮空気を放出可能な程度の角度に調整される。同様に、圧縮空気を前面扉１２ｂに向かって右側に設けられた顔用排気口４２から放出する場合は、ルーバー４６の羽根板４６ｂが、遊技者の右頬にめがけて圧縮空気を放出可能な程度の角度に調整される。また、胴体用排気口４４から圧縮空気を放出する場合は、遊技者の腹部にめがけて圧縮空気を放出可能な程度の角度となるように、胴体用排気口４４に設けられたルーバー４６の羽根板４６ａが角度調整される。
【００２８】
また、顔用排気口４０，４２や胴体用排気口４４から放出する空気の温度を調整する場合は、各排気口４０，４２，４４に対応して設けられた温度調整手段７０ａ〜７０ｃが作動する。これにより、温度調整手段７０ａ〜７０ｃが、分岐路５２ａ〜５２ｃを通過して各排気口４０，４２，４４に向かって流れる空気を温度調整可能な状態に準備される。
【００２９】
上述のようにしてルーバー４６の羽根板４６ａの角度調整がなされ、温度調整手段７０ａ〜７０ｃが準備された状態で電磁弁６０，６２，６４のいずれか一つあるいは複数が開状態になると、エアタンク５８に貯留されていた圧縮空気が分岐路５２ａ〜５２ｃを通り、顔用排気口４０，４２や胴体用排気口４４から温度調整された状態で勢いよく放出される。顔用排気口４０や顔用排気口４２から圧縮空気が放出されると、圧縮空気が遊技者の頬に当たり、あたかも顔をめがけて繰り出されたパンチが当たったかのような演出がなされる。また、胴体用排気口４４から圧縮空気が放出されると、圧縮空気が遊技者の腹部に当たり、あたかも腹部をめがけて繰り出されたパンチが当たったかのような演出がなされる。
【００３０】
上述のようにしてエアタンク５８内に貯留されていた圧縮空気が放出されると、電磁弁６０，６２，６４が閉状態とされると共に、弁５６が開状態とされる。その後、再びコンプレッサー５４により加圧された空気がエアタンク５８に貯留され、次に排気口４２，４４，４６から圧縮空気を放出すべきタイミングに備える。
【００３１】
上記したように、本実施形態の遊技機１０では、次の演出において圧縮空気を放出するのが顔用排気口４０，４２であるのか、胴体用排気口４４であるのかによってエアタンク５８に貯留する空気圧を調整し、各排気口４０，４２，４４における空気の放出条件、すなわち各排気口４０，４２，４４において放出される空気圧や、空気を放出するタイミング、空気の放出流量、空気の放出方向等を独立的に調整できる構成とされている。そのため、遊技機１０によれば、変化に富んだ優れた演出効果を得ることできる。
【００３２】
上記した遊技機１０では、単に緩やかな送風を遊技者に向けて放出するのではなく、コンプレッサー５４によって加圧された圧縮空気が遊技者に向けて放出される。そのため、遊技機１０によれば、その設置環境等によらず、遊技者に対して大きなインパクトを与える演出が可能となる。
【００３３】
また、本実施形態の遊技機１０では、サブ制御基板１５により遊技の状態や、演出表示部２４ａに表示される画像（映像）、放音部２４ｃ，２４ｄから放出される音声等の他の演出にあわせて各排気口４０，４２，４４に対応して設けられた電磁弁６０，６２，６４を開くタイミングを調整し、遊技者に向けて圧縮空気を放出することができる。すなわち、遊技機１０は、各排気口４０，４２，４４における空気の放出条件の一つとして、圧縮空気を放出するタイミングを適宜調整できる。また、画像（映像）や音声等のような他の演出と、圧縮空気による演出とを組み合わせることにより、あたかも頬や腹部にパンチが繰り出されたかのような感覚を遊技者に体感させることができる。さらに、遊技機１０では、各排気口４０，４２，４４から放出される圧縮空気を遊技者が交わそうとして動くことも想定される。従って、遊技機１０では、演出に併せて遊技者自身の動きを促進し、さらに演出の体感性を向上させることも可能である。
【００３４】
遊技機１０では、各排気口４０，４２，４４にルーバー４６の羽根板４６ａが設けられており、圧縮空気の放出方向を調整可能とされている。具体的には、遊技機１０は、ストップボタン２２ａの上方に配された遊技者検知手段４８により遊技者の輪郭などを検出し、この検出結果に基づいて羽根板４６ａの角度を適宜調整することにより、空気の放出方向の変化による演出効果を得ることも可能である。さらに具体的には、遊技者検出手段４８によって検出された遊技者の頬の位置や腹部に相当すると思われる位置にめがけて真っ直ぐ圧縮空気を放出可能な程度の角度に羽根板４６ａを調整すれば、頬や腹部にしっかりとパンチが当たったかのような感覚を遊技者に与える演出を行うことができる。一方、頬や腹部をかすめるような角度で圧縮空気が流れるように羽根板４６ａを角度調整すれば、頬や腹部にしっかりとパンチが当たらなかったかのような感覚を遊技者に与える演出を行うことができる。
【００３５】
また、上記実施形態においては、胴体用排気口４４を遊技者の胴体に相当する部分にめがけて空気を放出するものとして説明したが、例えば胴体用排気口４４における空気の放出方向を遊技者の顎に相当する部分に向ける等してもよい。このようにすることで、遊技者に対してアッパーパンチが放たれたかのような演出を行うことができる。なお、胴体用排気口４４から遊技者の顎をめがけて空気を放出する場合は、遊技者に与える衝撃の大きさ等を考慮し、衣服をまとっていると想定される胴体部分に空気を放出する場合に比べて空気の放出圧力を低く調整することが望ましい。
【００３６】
上記した遊技機１０では、全ての排気口４０，４２，４４にルーバー４６を設け、羽根板４６ａの角度調整により圧縮空気の放出方向を調整可能としたが、本発明はこれに限定されるものではなく、排気口４０，４２，４４の一部または全部について圧縮空気の放出方向を切り替えできない構成としてもよい。具体的には、排気口４０，４２，４４の一部又は全部を、所定の方向に向けて開いた開口により構成したり、圧縮空気を放出可能な筒体やノズルを所定の角度に向けて固定した構成としてもよい。
【００３７】
また、上記実施形態では、ルーバー４６の羽根板４６ａの角度調整により圧縮空気の放出方向を調整可能な構成を例示したが、本発明はこれに限定されるものではなく、他の構成を採用することで放出方向を切り替え可能としてもよい。具体的には、排気口４０，４２，４４のいずれかとして圧縮空気を放出可能な筒体やノズルを設け、これらの角度を変化させることで圧縮空気の放出方向を切り替えることとしてもよい。
【００３８】
上記実施形態では、ルーバー４６の羽根板４６ａの角度を調整した上で圧縮空気を放出する構成を例示したが、本発明はこれに限定されるものではなく、圧縮空気を放出している期間中に羽根板４６ａの角度を変化させる事としてもよい。かかる構成によれば、圧縮空気の放出中にその放出方向が変化するため、より一層変化に富んだ演出効果を得ることができる。
【００３９】
上記実施形態では、従来公知のＣＣＤイメージセンサ（Charge Coupled Device Image Sensor）や、当該センサを備えたカメラなどによって構成された遊技者検知手段４８を設けると共に、これによる検出結果に基づいて遊技者の輪郭などを検出して羽根板４６ａの角度調整を行うものを例示したが、本発明はこれに限定されるものではない。具体的には、遊技者検知手段４８としては、他のセンサ類やカメラ類によって構成されていてもよい。また、遊技機１０は、遊技者検知手段４８を備えていないものであってもよい。遊技者検知手段４８を設けない場合は、一般的な体格の遊技者が遊技機１０の正面に着席した際に頬や胴体が到来すると想定される位置に向けて羽根板４６ａの角度を調整することにより、上記実施形態で示したのと同様に頬や胴体にパンチが繰り出されたかのような演出効果を与えることができる。また、遊技者検知手段４８を設けない場合は、その分だけ遊技機１０の装置構成を簡略化することができる。
【００４０】
上記実施形態に示した遊技機１０において、空気供給手段５０は、温度調整手段７０ａ〜７０ｃを各排気口４０，４２，４４に対応して設け、これらによって各排気口４０，４２，４４から放出される空気の温度を独立的に制御可能なものであったが、本発明はこれに限定されるものではなく、例えば分岐部６６よりもさらに上流側に温度制御手段７０を設け、これにより各排気口４０，４２，４４に供給される空気を一括して温度調整する構成としてもよい。また、上記実施形態では、空気供給手段５０として、温度調整手段７０を備えたものを例示したが、本発明はこれに限定されるものではなく、温度制御手段７０を設けない構成としてもよい。かかる構成によれば、空気供給手段５０、並びに、遊技機１０の装置構成をより一層簡略化することができる。
【００４１】
上記実施形態では、温度調整手段７０ａ〜７０ｃが、各排気口４０，４２，４４に対応して設けられた分岐路５２ａ〜５２ｃにおいて、電磁弁６０，６２，６４よりも上流側に設けられた構成とされており、電磁弁６０，６２，６４と排気口４０，４２，４４との間に空気流の妨げとなるものが存在していない。そのため、上記した遊技機１０では、電磁弁６０，６２，６４を開くことで排気口４０，４２，４４から放出される圧縮空気が減衰することなく、勢いよく放出される。なお、上記実施形態では、空気の放出圧力の低下を考慮して電磁弁６０，６２，６４よりも上流側に温度調整手段７０（７０ａ〜７０ｃ）を設けた構成を例示したが、本発明はこれに限定されるものではなく、電磁弁６０，６２，６４よりも下流側に温度調整手段７０を設けた構成としてもよい。
【００４２】
上記したように、遊技機１０では、胴体用排気口４４から放出される圧縮空気の圧力を、顔用排気口４０，４２から放出される圧縮空気よりも高くなるように調整されている。そのため、通常は遊技者が衣服をまとっている部分である腹部に向けて圧縮空気を放出しても、遊技者に圧縮空気による衝撃を体感させることができる。
【００４３】
上記実施形態では、腹部に圧縮空気を放出した際に、顔等のように露出した部分に向けて圧縮空気を放出するのに比べて遊技者が体感する衝撃が緩くなることを考慮して圧縮空気の圧力を調整する構成を例示したが、本発明はこれに限定されるものではない。具体的には、各排気口４０，４２，４４に向けて供給される圧縮空気の圧力をいずれもほぼ均一としてもよい。また、各排気口４０，４２，４４に向けて供給される圧縮空気の圧力を、タイミングや状況に応じて適宜変化させることとしてもよい。かかる構成とすれば、各排気口４０，４２，４４から圧縮空気が放出されることにより遊技者が体感する衝撃をタイミングや状況に応じて異ならせることができ、より一層きめ細かくバラエティに富んだ演出効果を得ることができる。
【００４４】
また、上記実施形態では、中部パネル部３２に２つの顔用排気口４０，４２を設け、下部パネル部３４に１つの胴体用排気口４４を設けた構成を例示したが、本発明はこれに限定されず、さらに多数の排気口を設けた構成としたり、様々な場所に排気口を設けた構成としてもよい。
【００４５】
さらに具体的には、上記実施形態では、あたかも遊技者に向けてパンチが繰り出されているかのような演出効果を与えるために、遊技者の顔や腹部をめがけて圧縮空気を放出可能な位置に排気口４０，４２，４４を設けた構成を例示したが、目的とする演出、画像や音声による演出に適応するように排気口の数量や位置を調整してもよい。具体的には、例えば遊技者に向けて機関銃が発射されているかのような演出効果を与えたい場合は、小さな排気口を多数一列に並べて設け、各排気口から順次、遊技者に向けて圧縮空気を放出可能な構成とすることが可能である。また、上記実施形態では、排気口４０，４２，４４を、単一の開口部分によって構成した例を示したが、開口面積の小さな小孔を多数設けた開口群によって排気口４０，４２，４４に相当するものを構成してもよい。
【００４６】
上記実施形態で採用されている空気供給手段５０では、各排気口４０，４２，４４に対応して空気供給管路５２の分岐路５２ａ〜５２ｃや電磁弁６０，６２，６４が設けられており、各排気口４０，４２，４４から独立的に圧縮空気を放出可能な構成であったが、本発明はこれに限定されるものではない。具体的には、サブ制御基板１５の制御により、排気口４０，４２，４４から選ばれる複数のものを一つの開口群とし、この開口群を構成するものから同一の放出条件で圧縮空気が放出される構成としてもよい。
【００４７】
また、例えば図５に示すように、排気口４０，４２用として別々に設けられていた分岐路５２ａ，５２ｂのうちの一方（図５に示す例では分岐路５２ｂ）を省略し、残りの一方（図５に示す例では分岐路５２ａ）の末端部分に排気口４０，４２の双方を取り付けた構成とすることも可能である。かかる構成とした場合は、排気口４０，４２が一つの開口群をなし、電磁弁６０の開閉に伴って排気口４０，４２から同一の放出条件で圧縮空気が放出されることとなる。
【００４８】
なお、上記実施形態で示した遊技装置５０は、いわゆるパチスロ機であったが、本発明はこれに限定されるものではなく、例えばパチンコ機に代表されるような他の種類の遊技装置であってもよい。
【図面の簡単な説明】
【００４９】
【図１】本発明の一実施形態に係る遊技機を示す正面図である。
【図２】図１に示す遊技機の内部構造を示す正面図である。
【図３】図１に示す遊技機において採用されている空気供給手段を示す配管系統図である。
【図４】図１に示す遊技機のサブ制御基板と、他の構成部材との関係を示すブロック図である。
【図５】図３に示す空気供給手段の変形例を示す配管系統図である。
【符号の説明】
【００５０】
１０          遊技機
４０，４２    排気口（顔用排気口）
４４          排気口（胴体用排気口）
４６          ルーバー（放出方向調整手段）
５０          空気供給手段
７０          温度調整手段
【図１】
2009195501.tif 000003
【図２】
2009195501.tif 000004
【図３】
2009195501.tif 000005
【図４】
2009195501.tif 000006
【図５】
2009195501.tif 000007